(57)【要約】  本発明は、洗浄時に貯水槽となる洗浄槽と、洗浄槽の上方に設けられるバランスリングと、洗浄槽とバランスリングの間からの水の溢れ出しを防止するよう配置される密封構造、を含む洗濯機について開示する。本発明の洗浄槽は、容量を増大するとの作用を実現する。且つ、洗浄槽とバランスリングの間に密封構造を設けることで、洗浄槽とバランスリングの間から水が洗浄槽の外側に溢れ出し、長期間にわたる飛散によって、洗濯機の筐体又はその他の部材が腐食したり、回路が短絡したりするとの事態を防止する。【選択図】図２
2021527453.tif 000002
【特許請求の範囲】
【請求項１】
洗浄時に貯水槽となる洗浄槽と、
洗浄槽の上方に設けられるバランスリングと、
洗浄槽とバランスリングの間に設けられて、洗浄槽とバランスリングの間からの水の溢れ出しを防止するよう配置される密封構造、を含むことを特徴とする洗濯機。
【請求項２】
前記バランスリングには装着部が設けられており、前記洗浄槽の上端には、装着部と係合する係合部が設けられており、前記密封構造は装着部と係合部の間に設けられることを特徴とする請求項１に記載の洗濯機。
【請求項３】
前記装着部は、径方向にバランスリングの側壁から突出するよう設けられる環状の突起を含んでおり、前記係合部は、環状の突起の形状と一致する環状溝を含んでおり、前記密封構造は環状の突起と環状溝の間に設けられることを特徴とする請求項２に記載の洗濯機。
【請求項４】
前記洗浄槽は、環状溝の下方に設けられて、洗浄槽とバランスリングとの隙間を縮小することで水を堰き止めるよう配置される止水部を更に含み、洗浄槽と止水部及びバランスリングの間には集水室が形成され、前記集水室は、上昇してきた水を収集するよう配置されることを特徴とする請求項１〜３のいずれかに記載の洗濯機。
【請求項５】
前記洗濯機は排水構造を更に含んでおり、前記排水構造は、洗浄槽の外壁に設けられて洗浄槽と連通し、洗浄槽から振り出された水を排出するための脱水水路を含み、前記脱水水路の給水端は洗浄槽の上方に設けられていることを特徴とする請求項１〜４のいずれかに記載の洗濯機。
【請求項６】
前記給水端は、止水部の下方の集水室に設けられることを特徴とする請求項４又は５に記載の洗濯機。
【請求項７】
前記止水部は、洗浄槽の外側から内側に窪むことで形成されるくびれ部であることを特徴とする請求項４に記載の洗濯機。
【請求項８】
前記くびれ部の上端は、外周に向かって延伸することでバランスリングの装着部を支持する支持部を形成しており、前記支持部は、上方へ延伸を続けることで、バランスリングの装着部を取り囲む収容部を形成しており、前記収容部の上端を内側へ折り返して転圧することで、バランスリングの装着部を固定する固定部を形成しており、
好ましくは、前記密封構造は固定部と環状の突起の間に設けられ、
より好ましくは、前記密封構造は扁平状構造をなしており、更に好ましくは、前記密封構造と環状の突起との密着面の摩擦係数はその他の面の摩擦係数よりも大きいことを特徴とする請求項７に記載の洗濯機。
【請求項９】
前記支持部、収容部、固定部によって、開口が内側を向く環状溝が形成され、好ましくは、前記くびれ部と環状溝によって形成される全ての角は丸角であることを特徴とする請求項８に記載の洗濯機。
【請求項１０】
前記密封構造は、洗浄槽とバランスリングの間で押圧されて一定の歪みを有する環状のパッキンであるか、或いは、密封構造は環状のシール剤であることを特徴とする請求項１〜９のいずれかに記載の洗濯機。
【発明の詳細な説明】
【技術分野】
【０００１】
本発明は洗濯機の分野に属し、具体的には洗濯機に関する。
【背景技術】
【０００２】
洗濯機は、電気を利用して衣類を洗浄する装置として設計される。一般的に、洗濯機は、洗浄水を蓄える槽と、回転可能に槽の内部に装着される回転槽と、回転可能に回転槽の底部に装着されるパルセータと、回転槽とパルセータを回転させるよう構成されるモータ及びクラッチと、回転槽の上方に設けられ、回転槽の回転時に重量を補うことでバランスを維持するバランスリング、を含む。衣類及び洗剤が回転槽に投入された状態で回転槽とパルセータが回転すると、回転槽に投入された衣類とともにパルセータが洗浄水を攪動することで、衣類から汚れが除去される。
【０００３】
洗濯機の洗浄容量を増大させるためには、より大きな回転槽が必要となる。即ち、回転槽の高さ又は直径を拡大する必要がある。また、回転槽がより大きなサイズを有する場合には、回転槽を収容する槽及び槽を収容するハウジングもまた、回転槽の拡大に伴って拡大させる必要がある。しかし、洗濯機の外観に対応するハウジングの拡大は、洗濯機の設置領域のスペースに大きく規制される。一般的なユーザの家では、洗濯機の設置位置に限りがあるため、洗濯機のハウジングを拡大して洗濯槽の容量を増大させるとの目的を達成することはあまり現実的ではない。そこで、洗濯機のハウジングを拡大することなく、如何にして回転槽の容量を増大させるかが設計者を悩ませる大きな難題となっていた。しかし、容量増大の問題については、孔無しの洗浄槽の誕生によって解決されている。孔無しの洗浄槽は、槽を省略するか小さくし、洗浄水を貯える洗浄槽として回転槽を用いることで配置される。
【０００４】
洗浄槽が高速回転すると、洗浄槽内の水は遠心力の作用によって洗浄槽の壁沿いに上方へ向かい、上端に設けられた排水口まで上昇して排出される。しかし、一部の水は引き続きバランスリングの接続箇所まで上昇し、バランスリングの接続箇所から洗浄槽の外部に溢れ出す。そのため、長期間が経過すると、溢れ出した洗浄水によって筐体のハウジング及びその他の構造が腐食しやすく、回路の短絡も容易に引き起こされる。
【０００５】
以上に鑑みて、本発明を提案する。
【発明の概要】
【発明が解決しようとする課題】
【０００６】
本発明が解決しようとする技術的課題は、従来技術の瑕疵を解消し、洗濯機を提供することである。
【課題を解決するための手段】
【０００７】
上記の技術的課題を解決するために、本発明で採用する技術方案の基本思想は以下の通りである。
【０００８】
本発明の目的は、洗浄時に貯水槽となる洗浄槽と、洗浄槽の上方に設けられるバランスリングと、洗浄槽とバランスリングの間からの水の溢れ出しを防止するよう配置される密封構造、を含む洗濯機を提供することである。
【０００９】
更なる方案として、前記密封構造は、洗浄槽とバランスリングの間に設けられる。
【００１０】
更なる方案として、前記バランスリングには装着部が設けられており、前記洗浄槽の上端には、装着部と係合する係合部が設けられている。前記密封構造は、装着部と係合部の間に設けられる。
【００１１】
更なる方案として、前記装着部は、径方向にバランスリングの側壁から突出するよう設けられる環状の突起を含んでおり、前記係合部は、環状の突起の形状と一致する環状溝を含んでいる。前記密封構造は、環状の突起と環状溝の間に設けられる。
【００１２】
更なる方案として、前記洗浄槽は、環状溝の下方に設けられて、洗浄槽とバランスリングとの隙間を縮小することで水を堰き止めるよう配置される止水部を更に含む。洗浄槽と止水部及びバランスリングの間には集水室が形成され、前記集水室は、上昇してきた水を収集するよう配置される。
【００１３】
更なる方案として、前記洗濯機は排水構造を更に含んでいる。前記排水構造は、洗浄槽の外壁に設けられて洗浄槽と連通し、洗浄槽から振り出された水を排出するための脱水水路を含む。前記脱水水路の給水端は、洗浄槽の上方に設けられている。
【００１４】
更なる方案として、前記給水端は止水部の下方の集水室に設けられる。
【００１５】
更なる方案として、前記止水部は、洗浄槽の外側から内側に窪むことで形成されるくびれ部である。
【００１６】
更なる方案として、前記くびれ部の上端は、外周に向かって延伸することでバランスリングの装着部を支持する支持部を形成している。前記支持部は、上方へ延伸を続けることで、バランスリングの装着部を取り囲む収容部を形成している。また、前記収容部の上端を内側へ折り返して転圧することで、バランスリングの装着部を固定する固定部を形成している。
【００１７】
更なる方案として、前記支持部、収容部、固定部によって、開口が内側を向く環状溝が形成される。好ましくは、前記くびれ部と環状溝によって形成される全ての角は丸角である。
【００１８】
更なる方案として、前記密封構造は、固定部と環状の突起の間に設けられる。
【００１９】
更なる方案として、前記密封構造は扁平のシート状構造をなしている。好ましくは、前記密封構造と環状の突起との密着面の摩擦係数はその他の面の摩擦係数よりも大きい。
【００２０】
更なる方案として、前記密封構造は、洗浄槽とバランスリングの間で押圧されて一定の歪みを有する環状のパッキンである。或いは、密封構造は環状のシール剤である。
【発明の効果】
【００２１】
上記の技術方案を用いることで、本発明は従来技術と比較して以下の有益な効果を有する。
【００２２】
１．本発明では、洗浄槽とバランスリングの間に密封構造を設けている。これにより、洗浄槽とバランスリングの間から洗浄槽の外側に水が溢れ出すことで、長期間にわたる飛散によって洗濯機の筐体又はその他の部材が腐食したり、回路が短絡したりするとの事態が防止される。
【００２３】
２．本発明の洗濯機は、止水部と集水室を更に含んでいる。これにより、洗浄槽とバランスリングの間から一部の洗浄水が溢れ出さないよう邪魔するとともに、水を収集することで、給水端を通じて洗浄槽から水を排出しやすくしている。
【００２４】
３．洗浄槽は孔無しの洗浄槽であるため、洗濯機の容量増大のためのスペースが提供される。
【００２５】
以下に、図面を組み合わせて、本発明の具体的実施形態につき更に詳細に述べる。
【００２６】
図面は、本発明の一部として本発明の更なる理解のために用いられる。また、本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００２７】
【図１】図１は、本発明の洗濯機の構造を示す図である。
【図２】図２は、図１のＡ部分の拡大図である。
【発明を実施するための形態】
【００２８】
説明すべき点として、これらの図面及び文字記載は何らかの方式で本発明の構想の範囲を制限するとの意図ではなく、特定の実施例を参照して当業者に本発明の概念を説明するためのものである。
【００２９】
本発明における実施例の目的、技術方案及び利点をより明確とすべく、以下では、本発明の実施例にかかる図面を組み合わせて実施例の技術方案につき明瞭簡潔に述べる。なお、以下の実施例は本発明を説明するためのものであって、本発明の範囲を制限するものではない。
【００３０】
本発明の記載において、「上」、「下」、「前」、「後」、「左」、「右」、「垂直」、「内」、「外」等の用語で示される方向又は位置関係は、図示に基づく方向又は位置関係であって、本発明の記載の便宜上及び記載の簡略化のためのものにすぎず、対象となる装置又は部材が特定の方向を有し、且つ特定の方向で構成及び操作されねばならないことを明示又は暗示するものではない。よって、本発明を制限するものと理解すべきではない。
【００３１】
本発明の記載において、別途明確に規定及び限定しない限り、「装着する」、「連なる」、「接続する」との用語は広義に解釈すべきである。例えば、固定接続であってもよいし、取り外し可能な接続であってもよいし、一体接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を解釈可能である。
【実施例１】
【００３２】
図１〜２に示すように、本実施例は洗濯機を提供する。当該洗濯機は、洗浄時に貯水槽となる洗浄槽１と、洗浄槽１の上方に設けられるバランスリング２と、洗浄槽１とバランスリング２の間からの水の溢れ出しを防止するよう配置される密封構造３、を含む。
【００３３】
上記の方案において、本実施例の洗濯機には外槽が設けられておらず、洗浄槽１が貯水槽となり得る。即ち、上部にのみ脱水孔が設けられており、中央部と下部には孔の無い内槽２となっている。脱水時には、洗浄水が遠心力の作用で槽壁沿いに上方へ向かい、脱水孔まで上昇して洗浄槽１から排出される。一般的には、パルセータ洗濯機の洗浄槽１の上方にバランスリング２が設けられている。バランスリング２と洗浄槽１は一体的には成型されておらず、後から互いに装着される。そのため、遠心力の作用を受けて槽壁沿いに上昇した水流は、洗浄槽１とバランスリング２の間の装着スリットから極めて容易に溢れ出し、高速回転の作用によって四方に飛び散る恐れがある。また、長期間にわたり極めて容易に飛び散ることで、洗濯機の筐体又はその他の部材が腐食したり、回路が短絡したりする。そこで、本発明では密封構造３を設けることで、洗浄槽１とバランスリング２の間からの水の溢れ出しを防止する。
【００３４】
更に、前記密封構造３は、洗浄槽１とバランスリング２の間に設けられる。
【００３５】
上記の方案では、洗浄槽１とバランスリング２の間に設けることで、より良好な密封効果を達成可能であるとともに、密封構造３の固定がより容易となる。この場合、洗浄槽１又はバランスリング２の外側に設けるよりも効果がより良好となる。
【００３６】
更に、前記バランスリング２には装着部２０１が設けられており、前記洗浄槽１の上端には、装着部２０１と係合する係合部１０１が設けられている。前記密封構造３は、装着部２０１と係合部１０１の間に設けられる。
【００３７】
上記の方案において、前記バランスリング２は、装着部２０１と係合部１０１との係合によって洗浄槽１の上方に装着される。密封構造３は装着部と係合部の間に設けられるため、密封効果がより良好となる。また、密封構造３自体の固定も容易となり、外力や長期間の使用に伴って容易に破損したり、元の位置から脱離して密封作用を継続できなくなったりすることがない。
【００３８】
更に、前記装着部２０１は、径方向にバランスリング２の側壁から突出するよう設けられる環状の突起を含んでおり、前記係合部１０１は、環状の突起の形状と一致する環状溝を含んでいる。前記密封構造３は、環状の突起と環状溝の間に設けられる。
【００３９】
上記の方案では、環状の突起を設けることでバランスリング２の装着を容易としている。なお、言うまでもなく、バランスリング２の側壁に、内側へ凹陥する凹部を装着部２０１として設けてもよいが、凹部を設けるとバランスリング２の大きさや強度に影響を及ぼし、バランス効果を低下させる恐れがある。そのため、本願では、前記装着部２０１が、バランスリング２の側壁から突出するよう設けられる環状の突起を含むことが好ましい。
【００４０】
更に、前記洗浄槽１は、環状溝の下方に設けられて、洗浄槽１とバランスリング２との隙間を縮小することで水を堰き止めるよう配置される止水部１０２を含む。洗浄槽１と止水部１０２及びバランスリング２の間には集水室１０３が形成される。前記集水室１０３は、上昇してきた水を収集するよう配置される。
【００４１】
上記の方案において、前記洗浄槽１は止水部１０２を更に含んでいる。前記止水部１０２は洗浄槽１とバランスリング２との隙間を縮小しているため、水流が止水部１０２の手前まで上昇したときに、一部の水が環状溝に到達し、環状溝の内部を通じて洗浄槽１から溢れ出すとの事態が防止される。これにより、密封構造３における密封圧力が低下する。止水部１０２の存在によって、洗浄槽１とバランスリング２との隙間は縮小されているため、水が止水部１０２を通過する際にはより大きな圧力が必要となる。そのため、集水室１０３において大部分の水を収集する。
【００４２】
更に、前記洗濯機は排水構造を含んでいる。前記排水構造は、洗浄槽１の外壁に設けられて洗浄槽１と連通し、洗浄槽１から振り出された水を排出するための脱水水路を含む。前記脱水水路の給水端１０４は洗浄槽１の上方に設けられている。
【００４３】
更に、前記給水端１０４は、止水部１０２の下方の集水室１０３に設けられている。
【００４４】
上記の方案において、給水端１０４は集水室１０３に設けられているため、集水室１０３内の圧力が増大することで、水はより容易に給水端１０４から脱水水路に進入して排出される。
【００４５】
更に、前記止水部１０２は、洗浄槽１の外側から内側に窪むことで形成されるくびれ部である。
【００４６】
更に、前記くびれ部の上端は、外周に向かって延伸することでバランスリング２の装着部２０１を支持する支持部を形成している。前記支持部は、上方へ延伸を続けることで、バランスリング２の装着部２０１を取り囲む収容部を形成している。また、前記収容部の上端を内側へ折り返して転圧することで、バランスリング２の装着部２０１を固定する固定部を形成している。
【００４７】
更に、前記支持部、収容部、固定部によって、開口が内側を向く環状溝が形成される。好ましくは、前記くびれ部と環状溝によって形成される全ての角は丸角となっている。
【００４８】
上記の方案において、前記支持部は環状溝の底面をなしており、前記収容部は環状溝の側面をなしている。また、前記固定部は環状溝の上面をなしている。前記収容部は、装着部２０１を収納するとともに、バランスリング２の径方向の移動を規制する。前記くびれ部と環状溝によって形成される全ての角は丸角となっている。前記丸角によれば、装着や運搬の過程で操作者を傷つけるとの事態を防止可能であるとともに、鋭角によるバランスリングの損傷も防止される。更には、回転過程で洗濯機内のその他の管路や部材を損傷することも回避可能である。
【００４９】
更に、前記密封構造３は、固定部と環状の突起の間に設けられる。
【００５０】
上記の方案において、前記密封構造３は、支持部と環状の突起の間に設けてもよいし、収容部と環状の突起の間に設けてもよい。また、本実施例で述べたように、固定部と環状の突起の間に設けてもよい。支持部と環状の突起の間に設ける場合、前記密封構造３は、バランスリング２からの圧力を余分に受けるため破損しやすくなる。且つ、環状の突起の下面に設ける際には装着も容易でない。また、収容部と環状の突起の間に設ける場合、前記密封構造３は、洗浄槽１の回転時に洗浄槽１とバランスリング２の双方から付与される径方向の押圧力を受けるため破損しやすくなる。これに対し、固定部と環状の突起の間に設ける場合には、前記密封構造３が受ける圧力が最小となるため破損しにくい。且つ、装着しやすく、密封効果も良好となる。
【００５１】
更に、前記密封構造３は扁平状構造をなしている。好ましくは、前記密封構造３と環状の突起との密着面の摩擦係数はその他の面の摩擦係数よりも大きい。
【００５２】
上記の方案において、前記密封構造３は扁平状構造をなしている。これは、扁平状構造とすることで、固定部の転圧及び折り返し時に、巻き込みや変位、歪み等の変形が発生しにくいためである。通常は、前記密封構造３は扁平のシート状構造とする。また、前記密封構造３と環状の突起との密着面の摩擦係数をその他の面の摩擦係数よりも大きくすることで、密封構造３は、固定部の転圧及び折り返し時に移動や巻き込みを生じにくい。
【００５３】
更に、前記密封構造３は、洗浄槽とバランスリングの間で押圧されて一定の歪みを有する環状のパッキンである。
【実施例２】
【００５４】
本実施例では、前記密封構造３が、洗浄槽とバランスリングの間で押圧されて一定の歪みを有する環状のシール剤である点で実施例１とは異なっている。
【実施例３】
【００５５】
本実施例では、前記止水部１０２が、洗浄槽１の内側に設置される環状の凸部である点で実施例１とは異なっている。前記環状の凸部の上面と、洗浄槽１の上方の内側への折り返しの転圧によって、バランスリング３を固定するための係合部１０１における開口が内側を向いた環状溝が形成される。
【実施例４】
【００５６】
本実施例では、前記環状溝が、洗浄槽１の内側から外側へ窪んだ環状の凹溝であり、止水部１０２を含まない点で実施例１とは異なっている。
【００５７】
前記環状の凹溝の下面は、バランスリング２の装着部２０１を支持する支持部をなしている。前記支持部は、上方へ延伸を続けることで、バランスリング２の装着部２０１を取り囲む収容部を形成している。また、前記収容部の上端を内側へ折り返して転圧することで、バランスリング２の装着部２０１を固定する固定部を形成している。
【００５８】
前記密封構造３は、固定部と環状の突起の間に設けられる。
【００５９】
以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて実施可能なわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【符号の説明】
【００６０】
１  洗浄槽
１０１  係合部
１０２  止水部
１０３  集水室
１０４  給水端
２  バランスリング
２０１  装着部
３  密封構造
【図１】
2021527453.tif 000003
【図２】
2021527453.tif 000004
【国際調査報告】
2021527453.tif 000005
2021527453.tif 000006
2021527453.tif 000007
2021527453.tif 000008